(57)【特許請求の範囲】
【請求項１】
一方のエンドピースにおける受接用先端部(1a)と外面が円錐形状の嵌め合い用先端部(1b)とを有する筒状雄型ソケット(1)、および一方のエンドピースにおける受接用先端部(4b)と雄型ソケットの該嵌め合い用先端部を受け入れて側面シールを形成することができる内面円錐形状の受け入れ先端部(4a)とを有する筒状雌型ソケット(4)から構成され、これら２つのソケットに装着されるロック用カラー部材(7)を備える、医療用器具のルアー型円錐形状の２部材を接続するための自動ロック機構つき流体コネクタであって、該カラー部材が、カラー部材を雄型ソケット上で回転可能に軸方向にブロックするために雄型ソケットの外面の側方ラグ(3)を通すことができる側方ポート(8)を有し、かつ該カラー部材が内面ノッチ(10)を備えた横方向に変形可能な部分(7b)を有し、この内面ノッチの形状は、カラー部材を雌型ソケット向かう方向に押した時にカラー部材のノッチが雌型ソケットの外面ノッチ(6)の上に乗り、逆方向への牽引があった時に雌型ソケットのノッチにより保持されるような形状であり、カラー部材および雌型ソケットのノッチは、雌型ソケットとカラー部材の相対的な回転を可能にするような形状を有し、カラー部材の該ノッチは、ノッチを有するカラー部材の部分を横方向に変形させることにより雌型ソケットのノッチから側方に離間させることができることを特徴とする流体コネクタ。
【請求項２】
前記カラー部材が、互いに直径方向逆向きに配置された２組のノッチ(10)と、これらのノッチに対して90°の位置に設けられた２つの領域(11)とを備え、この２つの領域は、前記２系列のノッチを互いに離間させてカラー部材と雌型ソケットのコネクタからの分離を可能にするために半径方向に押されてカラー部材を横方向に変形させることができるものである、請求項１に記載のコネクタ。
【請求項３】
カラー部材および雌型ソケットのノッチ(6,10)が、軸方向推力によるロックの容易さと自動化のための傾斜面(6a,10a)と、ロック解除を防止するための管軸に対して垂直な直線面(6b,10b)とを有し、雌型ソケットの直線面(6b)はその受接用先端部(4b)の方を向いており、カラー部材のノッチの直線面と雌型ソケットのノッチの直線面との間の接触によってロックが確実にされる、請求項１および２のいずれか１項に記載のコネクタ。
【請求項４】
雌型ソケットのノッチ(6)が複数の円形ミゾまたはその一部分である、請求項１〜３のいずれか１項に記載のコネクタ。
【請求項５】
雄型ソケット(1)の受接用先端部(1a)が、嵌合により雄型ルアー(LM)を受容するように設計されている、請求項１〜４のいずれか１項に記載のコネクタ。
【請求項６】
雌型ソケット(4)の受接用先端部(4b)の内面が雌型ルアー(LF)の中に嵌入できる雄型ルアー(LM)を持つように設計されている、請求項１〜４のいずれか１項に記載のコネクタ。
【請求項７】
受接用先端部の一方および／または他方が、円筒形チューブに接続されるように設計されている、請求項１〜４のいずれか１項に記載のコネクタ。
【請求項８】
シリンジまたは注射針またはカテーテルのハブに接続に使用するための請求項１〜７のいずれか１項に記載のコネクタ。
【請求項９】
チューブの接続に使用するための請求項１〜７のいずれか１項に記載のコネクタ。
【請求項１０】
請求項１〜７のいずれか１項に記載のコネクタの雄型および雌型ソケットにより構成された接続先端を有する医療器具。
【発明の詳細な説明】
【技術分野】
【０００１】
本発明は、医療用流体回路のコネクタに関する。
本発明は特に、医療用、例えば輸注用の、注射筒(シリンジ)、針およびその他の器具のための円錐形(テーパー付き)アセンブリに適用される。
【背景技術】
【０００２】
一般に、この種のアセンブリは、雄型ソケットと雌型ソケットとからなる接続を使用し、これら２つのソケットは円錐形(テーパー)の先端(いわゆるルアー<Luer>型コーン)により嵌まり合って、嵌合した先端部の周囲に側面シールが形成される。
【０００３】
接続の安全性(確実さ)は、場合により、ねじ込みによって強化される。
実際には、下記の２つの難点に気がつく：
−一方のソケットの回転による作用によって、予告なしに接続がゆるんで外れるようになることがある；
−同種の接続がさまざまな適用事例に使用されているため、例えば、栄養系のラインを静脈カテーテルの雌型ソケットにセットしてしまうといった、看護スタッフが混同する実際上の危険性がある。
【発明の開示】
【０００４】
このような混同を回避し、接続をより安全・確実にして、自発的な動作による以外には接続が外れることがあり得ないようにするために、新たなシステムを創出することが現在求められている。
【０００５】
本発明の目的は、接続が自動ロックされた連結を可能にするコネクタを提供することである。
本発明の別の目的は、適用事例に応じて異なるテーパー角度および異なる直径を持つコーン(円錐)を使用して連結を個別化することにより、混同の危険性を避けることができるようにする(この場合、間違えると、入れることも、ロックシステムも不可能になるため)ことである。
【０００６】
本発明によれば、この目的は、一方のエンドピースにおける接続用先端部と外面が円錐(テーパー)形状の嵌め合い用先端部とを有する筒状雄型ソケット、および一方のエンドピースにおける接続用先端部と雄型ソケットの該嵌め合い用先端部を受け入れて側面シールを形成することができる内面に円錐(テーパー)形状を持つ受け入れ先端部とを有する筒状雌型ソケットから構成された、自動ロック機構つきの流体コネクタを使用することにより達成される。ここで、雄型ソケットは外面に側方ラグ(耳状突出)を備え、雌型ソケットは一組の外面ノッチを備え、そしてコネクタはこれら２つのソケットに装着されるロック用カラー(フランジ、つば)部材をさらに含み、該カラー部材は、カラー部材を雄型ソケット上で回転可能に軸方向にブロックするために雄型ソケットの側方ラグを通すことができる側方ポート(通し穴)を有し、かつ該カラー部材が横方向に変形可能な部分を有し、かつ内面ノッチを備えていて、これらのノッチの形状は、カラー部材を雌型ソケット向かう方向に押した時にカラー部材のノッチが雌型ソケットのノッチの上に乗って、逆方向への牽引があった時に雌型ソケットのノッチにより保持されることができるような形状であり、これらのノッチは、雌型ソケットとカラー部材の相対的な回転を可能にするような形状を有し、カラー部材のノッチは、ノッチを有しているカラー部材の部分を横方向に変形させることにより雌型ソケットのノッチから側方に離間させることができる。
【０００７】
「エンドピース」とは、医療器具用の任意の接続(受接)用の先端部を意味する。
特に、本発明は下記に関係することができる：
−シリンジ(注射筒)Ｓ、針(ニードル)もしくはカテーテル用のソケットＥなどの器具の規格化された雄型または雌型のルアー型の先端部；
−チューブＴの円筒形先端部。
【０００８】
好適態様において、本発明のコネクタはさらに下記の１または２以上の特徴を備える：
−カラー部材が、互いに直径方向逆向きに配置された２系列のノッチと、これらのノッチに対して90°の位置に設けられた２つの領域とを備え、この２つの領域は、半径方向に押されると、前記２組のノッチを互いに離間させるようにカラー部材を横方向に変形させることができる。
【０００９】
−カラー部材および雌型ソケットのノッチが、軸方向の推力(押し込み)によるロックを容易にするための傾斜面と、軸方向の引っ張りによるロック解除を防止するための直線面（管軸に対して垂直な面）とを有し、カラー部材のノッチの直線面と雌型ソケットのノッチの直線面との間の接触によってロックが確実にされる。
【００１０】
−雌型ソケットのノッチが複数の円形ミゾまたはその部分である。
【発明を実施するための最良の形態】
【００１１】
本発明に係るコネクタの例を、添付図面を参照しながら以下に説明する。
添付図面に示した装置は、器具の受接が可能な接続用先端部1aと、反対側の嵌合を受ける嵌め合い用先端部1b(図１)とを有する、筒状の雄型ソケット１を備える(図１および２)。
【００１２】
この雄型ソケットは、それを貫通する長手方向の円筒形の流路(チャネル)２を備え、この流路は受接用先端部の内部の流路部分2aと嵌め合い用先端部の内部の流路部分2bとを含む。流路部分2aの直径は流路部分2bの直径より大きい。
【００１３】
受接用先端部1aは、直径方向で反対側の両側に同じ断面に位置する三角形に似た形状の２つの側方ラグ(耳状突出)３を有している。各ラグは、受接用先端部の方を向いている急傾斜部3aと嵌め合い用先端部の方を向いている緩傾斜部3bとを有する。
【００１４】
嵌め合い用先端部1bは、外面が円錐形状(テーパー)になっている。
受接用先端部の外面は円筒形状である。
本発明の装置は、器具の受接が可能な接続用の先端部4bと、反対側の嵌合による受け入れ用の先端部4a(図３)とを有する、筒状の雌型ソケット４を備える(図３および４)。
【００１５】
この雌型ソケットは、それを貫通する長手方向の流路５を備え、この流路は受接用先端部4b内部の流路部分5aと嵌め合い用受け入れ先端部4a内部の流路部分5bとを含む。流路部分5aは流路部分5bほどには広くなく、かつ、これら２つの流路部分は流路部分5cによって離間されている。流路部分5cは円筒形で他の２つの流路部分より狭い。
【００１６】
雌型ソケットは、そのハンドリングを容易にするためにその両先端部4aと4bとの間に中間の外周補強要素4cを有する。
雌型ソケットの嵌め合い用受け入れ先端部4aは、複数の外面ノッチ６を含んでおり、これらのノッチは、本例では、傾斜面6aと直線面6bとを有する平行ミゾにより構成されている。直線面は受接用先端部4bの方を向いている。
【００１７】
受接用先端部4bの外面は円筒形である。
本装置はカラー(フランジ)部材７をさらに備える。
カラー部材７は筒状の本体を持ち、図５〜８に示すように、先端部7aと反対側の先端部7bとを有する。先端部7aの側壁には、カラー部材を雄型ソケットの上を滑らせて雌型ソケットの方向に押し込んだ時に雄型ソケットのラグ３を通すことができる２つのポート８が開口されている。反対側の先端部7bの側壁には、その内面９に、互いに対向する２組のノッチ10が設けられていて、これらのノッチは、カラー部材を雌型ソケットの上に押し込んだ時に雌型ソケットのノッチと共働することができる。
【００１８】
さらに、ノッチ10を含んでいる部分のカラー部材の断面は、ノッチに対して90°の位置に２つのハンドリング領域11を形成するように外側に広がっていて、これらの領域に対する半径方向の推力(押し込み)によりカラー部材を変形させて、ノッチを互いから遠ざけて離すようにできる(図８)。カラー部材の材質はこの変形が可能となるように選択される。
【００１９】
雄型コーン(テーパー)を雌型コーン(テーパー)に連結する時、２つのテーパーの連結が完了するまで、カラー部材のノッチは雌型ソケットのノッチの上を通り過ぎる。
これらのノッチの噛み込み(インターロック)により、戻り(逆方向)の動き(切り離し)は不可能となる。雄型ソケットと雌型ソケットとの逆方向の回転は切り離しの危険性を伴わずに可能である。
【００２０】
シールはテーパー／テーパーの接触により確保され、ロックはカラー部材のノッチの直線面と雌型ソケットのノッチの直線面との接触により確保される。
これらの支持領域に圧力を加えると、カラー部材のノッチが持ち上がり、両ノッチ間の直線面の接触が解除される。この作業を維持することにより軸方向の切り離しが可能となる。
【００２１】
切り離しのためにはこの作業をしなければならないことが、この接続の確実さをもたらす。
図９〜11は完成した接続を示す。
【００２２】
本発明によれば、両ソケットの受接用先端部の内径および形状を変化させることによって、混同の危険性を伴わずに医療分野で可能な種々の用途にコネクタを適応させることが可能となる。
【００２３】
本発明は以上に説明した態様に制限されるものではない。
本発明の医療用コネクタは、種々の形状の雄型および雌型コーンで機能することができ、確実にシールを形成し、かつ異なる形状のものを装着およびロックすることを不可能にすることができる。それにより、異なる器具が固定されることが避けられ、例えば、血管穿刺(動脈、栄養、硬膜外等)では、ある特定分野の器具の各部材に正しいコーン(雄型または雌型)が取り付けられるようになる。
【００２４】
図12〜17は、シリンジ(注射筒)Ｓをニードル(針)のソケットＥに確実に接続するための本発明に係るロック用コネクタの適用例を示す。図中、
−図12は、本発明のコネクタの斜視図であって、このコネクタの雄型ソケットの受接側の(受接用)先端部は、接続すべきシリンジ型の器具の雄型ルアーコーンに装着(および必要なら接着)するための雌型ルアーコーン式ロックLFを内面に持つように設計されており、このコネクタの雌型ソケットの受接側の先端部は、接続すべきニードル型の器具の雌型ルアーコーンに装着(または必要なら接着)するのを可能にする雄型ルアーコーン式ロックLMを内面に持つように設計されている。
【００２５】
−図13は、その外側先端部に雄型ルアーLMを持つように設計されたシリンジの斜視図である。
−図14は、雌型ルアーLFが内面に形成されている雄型ソケットの受接側の先端部1aの中にシリンジＳの雄型ルアーLMを嵌め入れることによってシリンジ上に装着されたコネクタの雄型ソケットの斜視図である。
【００２６】
−図15は、その入口側の先端部に雌型ルアーLFを持つように設計されたニードルのソケットＥの斜視図である。
−図16は、ニードルのソケットＥに装着されたコネクタの雌型ソケットの斜視図である。このために、雌型ソケットの受接側の先端部4bの内面には、ニードルのソケットＥの雌型ルアーLFの中に嵌め入れることができる雄型ルアーLMが形成されている。
【００２７】
−図17は、本発明に従った接続によりニードルのソケットに接続されたシリンジの斜視図である。
本発明はこの接続例に制限されるものではない。
【００２８】
例えば、本発明に係る安全コネクタの両ソケットの一方の受接側の先端部は、内面または外面の噛み込みによりチューブに接続することができ、このチューブは例えば器具の１部材へのリンク(連結具)として作用する。
【００２９】
本発明は、本発明に係るコネクタの雄型および雌型の一方のソケットにより構成される接続先端部を有する、特にニードルもしくはカテーテルのチューブ、シリンジおよびソケットといった、新世代の医療器具を提供することも構想するものである。
【００３０】
最後に、本発明は、上述した手段を機能的に等価の手段で置換するか、または機構的に逆転させる、例えば、コネクタソケットの一方と他方との間での手段の交換、も包含するものである。
【図面の簡単な説明】
【００３１】
【図１】雄型ソケットの外面図である。
【図２】雄型ソケットの断面を示す。
【図３】雌型ソケットの外面図である。
【図４】雌型ソケットの断面を示す。
【図５】ロック用カラー部材の斜視図である。
【図６】ロック用カラー部材の別の斜視図である。
【図７】静止時のロック用カラー部材の横断面図である。
【図８】変形時のロック用カラー部材の横断面図である。
【図９】ロックされた状態のコネクタの外面図である。
【図１０】ロックされた状態のコネクタの断面を示す。
【図１１】ロックされた状態のコネクタのロック機構部分の拡大図である。
【図１２】針ソケットへのシリンジの接続に対する本発明に係るコネクタの適用例を示す。
【図１３】図１２と同様の図である。
【図１４】図１２と同様の図である。
【図１５】図１２と同様の図である。
【図１６】図１２と同様の図である。
【図１７】図１２と同様の図である。
【符号の説明】
【００３２】
１：雄型ソケット、1a：受接用先端部、1b：嵌め合い用先端部、２：流路、2a：受接用先端部内の流路部分、2b：嵌め合い用先端部内の流路部分、３：ラグ(耳状突出部)、４：雌型ソケット、4b：受接用先端部、4a：嵌め合い用先端部、4c：中間補強要素、５：流路、5a：受接用先端部内の流路部分、5b：嵌め合い用先端部内の流路部分、5c：中間流路部分、６：外面ノッチ、７：カラー部材、８：ポート、10：ノッチ、11：変形可能領域、Ｓ：シリンジ、Ｅ：ソケット、LM：雄型ルアー、LF：雌型ルアー
【図１】
0004429911.tif 000002
【図２】
0004429911.tif 000003
【図３】
0004429911.tif 000004
【図４】
0004429911.tif 000005
【図５】
0004429911.tif 000006
【図６】
0004429911.tif 000007
【図７】
0004429911.tif 000008
【図８】
0004429911.tif 000009
【図９】
0004429911.tif 000010
【図１０】
0004429911.tif 000011
【図１１】
0004429911.tif 000012
【図１２】
0004429911.tif 000013
【図１３】
0004429911.tif 000014
【図１４】
0004429911.tif 000015
【図１５】
0004429911.tif 000016
【図１６】
0004429911.tif 000017
【図１７】
0004429911.tif 000018